【事件の表示】
　平成８年特許願第１１２８３５号「ローディング機構」拒絶査定不服審判事件〔平成８年１２月２４日出願公開、特開平８−３３９５９９〕について、次のとおり審決する。
【結　論】
　本件審判の請求は、成り立たない。
【理　由】
第１　手続の経緯
　本願は、平成８年５月７日（パリ条約による優先権主張１９９５年５月６日、ドイツ国）の出願であって、平成１７年６月１６日付け拒絶理由に対して同年８月１０日付けで手続補正がなされたが、同年９月２８日付けで拒絶査定がされ、これに対し、平成１８年１月４日に拒絶査定不服審判が請求されるとともに、同年２月３日付けで手続補正がなされたものである。
　
第２　平成１８年２月３日付の手続補正についての補正却下の決定
　
　［補正却下の決定の結論］
　　平成１８年２月３日付の手続補正を却下する。
　
　［理由］
１．本件補正
１−１．補正事項の概略
　平成１８年２月３日付の手続補正（以下、「本件補正」という。）による特許請求の範囲についての補正事項は、概略、次のとおりである。
（１）請求項１について、補正前に
（ａ）「情報ディスクに対し情報を記録及び／又は再生する装置のためのローディング機構であって、ディスク縁部のためのガイドを有し、該ガイドが押圧されるディスク縁部の支持部材として構成された支持ガイドと回転駆動可能な移送ホイールとして構成された装填ガイドとを含み、該装填ガイドは装填及び脱着する目的で情報ディスクを転動させて装置に対し導入、脱着を行い、該支持ガイドと該装填ガイドとによって情報ディスクを装填路に沿って案内するローディング機構において、
　支持ガイド及び装填ガイドが装填面内で移動可能に支持され、かつ、
　使用者が情報ディスクを挿入しかつローディング機構が自動的に情報ディスクを転動させ挿入する中間位置において、情報ディスクの位置決め孔がハウジングの前面から突き出ており、それによって使用者の手が情報ディスクの位置決め孔の内側縁部及び情報ディスクの周辺部のみで情報ディスクに触れた状態で情報ディスクを手で挿入することが可能となることを特徴とするローディング機構。」とあったところを、
（ｂ）「情報ディスクに対し情報を記録及び／又は再生する装置のためのローディング機構
において
　該ローディング機構は、ディスク縁部のためのガイドを有し、
　該ガイドが、
ディスク縁部を押圧する
、
　支持ガイド及び装填ガイドが
前記装置の
装填ガイドを回転駆動させるとともに、支持ガイドと装填ガイドによる案内によって、前記装填路に沿う情報ディスクの装填及び脱着を可能にし、かつ、前記装填時に使用者が手で情報ディスクを挿入する位置であってかつ情報ディスクを転動させて自動的に装填を開始するローディング機構の始動位置である中間位置、および使用者が手で情報ディスクを取り出すエジェクト位置の双方にて、支持ガイドと装填ガイドの間でディスク縁部を加圧保持した状態で、
情報ディスクの、前記中間位置までの挿入および前記エジェクト位置での取出し
（２）本件補正前の請求項１５を削除し、同請求項１６ないし１８の項番号をそれぞれ１ずつ繰り上げて請求項１５ないし１７とするとともに、引用する請求項番号を整合させる。
　
２−２．　補正の目的の検討
　上記１−１．の（１）に記載した補正事項は、本件補正前の請求項１に対して、単に表現上の修正と認められる記載順序の変更等を除くと、概略、「支持ガイド及び装填ガイドが
前記装置の
前記中間位置までの挿入および前記エジェクト位置での取出し
　また、上記１−１．の（２）に記載した補正事項は、請求項の削除であるから平成１８年改正前特許法第１７条の２第４項第１号に掲げる事項を目的とするものに該当する。
　そこで、本件補正による特許請求の範囲に記載された発明が、特許出願の際独立して特許を受けることができるものであるか（平成１８年改正前特許法第１７条の２第５項において準用する同法第１２６条第５項の規定に適合するか）否かを、本件補正による請求項１に記載された発明（前記１−１．（１）の（ｂ）参照。以下、「本願補正発明」という。）について以下に検討する。
　
２．引用例
（１）原査定の拒絶の理由に引用された実願昭５８−１９８６０６号（実開昭６０−１０６２５０号）のマイクロフィルム（以下、「引用例１」という。）には、スロットイン式ディスク再生装置について、図面と共に次の事項が記載されている（なお、下線は当審で付した。）。
ア．「
箱体に形成したスロット孔からディスクを挿入するスロットイン式ディスク再生装置において、対向部に上記ディスクの外周部を嵌入するガイド溝をそれぞれ有すると共に所定距離隔ててほぼ平行に配置した１対のスライドガイドと、上記スライドガイドを相反する方向に移動して嵌入状態にある上記ディスクを釈放する駆動機構とを設けたことを特徴とするスロットイン式ディスク再生装置
　
イ．「第１図は本考案の一実施例によるスロットイン式ディスク再生装置を示し、再生装置の箱体１の前面２にはスロット孔３が形成されている。このスロット孔３の奥には一対のスライドガイド２０ａ，２０ｂが設けられ、その最小対向距離はディスク４の直径より小さくなっている。更に、
このスライドガイド２０ａ，２０ｂは第２図に示すように、その対向部の中央にディスク４を嵌合するガイド溝２１ａ，２１ｂを有している。このガイド溝２１ａ，２１ｂは、その断面形状がＶ字状になっている
図示の如くディスク４をスライドガイド２０ａ，２０ｂの方向に移動可能にゆるく嵌合したとき、ディスク４が脱落しない
略Ｖ字状のガイド溝２１ａ，２１ｂはディスク４の外周部のみと接することになり、ディスク４の記録面を傷つけることはない
　
ウ．「ディスク４を再生装置の所定の位置にセットする場合は、ディスク４をスロット孔３から第２図に示すようにガイド溝２１ａ，２１ｂに沿って押入して行ない、所定の挿入位置に達したのを
センサー５が検出して駆動機構２２が動作し、スライドガイド２０ａ，２０ｂからディスク４を釈放することによって所定位置にセットする
　
エ．「
第３図は他の実施例によるスロットイン式ディスク再生装置
スライドガイド２５ａ，２５ｂは、第２図と同様に配置されると共にガイド溝２６ａ，２６ｂを有してベルトにされており、それぞれ２本のプーリー２３ａ、２４ａ、および２３ｂ，２４ｂ間に巻かれている。第４図に示すようにプーリー２４ａもしくはプーリー２４ｂに、モータ２７の回転軸を結合することによって、ベルト状スライドガイド２５ａ，２５ｂを回動させ
反時計方向に回動しているスライドガイド２５ａと、静止あるいは時計方向に回動しているスライドガイド２５ｂ間にディスク４を挿入すると、ディスク４は箱体１内に送り込まれ
その後、図示しない駆動機構によってプーリー２３ａ，２３ｂをそれぞれ相反する方向に開いて、スライドガイドから釈放したディスク４を所定位置にセットする。ディスク４の取り出しはモーター２７を逆転させて行なう
　この実施例によれば、
ディスク４の挿入を自動的に行なえる
　
オ．「第５図は更に他の実施例によるスロットイン式ディスク再生装置を示し、スライドガイド２８ａ，２８ｂの構成が先の実施例と相違している。
　スライドガイド２８ａ，２８ｂは、支持板２９ａ，２９ｂに
可回転的に支持した複数のガイド３０を有しており、各ガイド３０はディスク４の挿入操作が容易になる。
　
カ．引用例１は、主にディスク再生装置において「ディスク４の挿入」「ディスク４の取り出し」のための機構について記載されていることが明らかである。
　第２図には、ガイド溝２１ａ，２１ｂの断面形状がＶ字状であることが図示されている。
　第３図には、中央に孔のあるディスク４と、箱体１内のベルト状スライドガイド２５ａ，２５ｂが図示されており、ベルト状スライドガイド２５ａは、前プーリー２４ａと後プーリー２３ａ間にガイド溝２６ａのベルトを有すること、ベルト状スライドガイド２５ｂは、前プーリー２４ｂと後プーリー２３ｂ間にガイド溝２６ｂのベルトを有していることが図示されている。
　第４図には、ベルト状スライドガイド２５ａの前プーリー２４ａにモータ２７の回転軸が結合され、前プーリー２４ｂには
モータの回転軸は結合されていない
　第５図には、ガイド溝２１ａを有するガイド３０が、ホイール形状であることが見て取れる。
　
　以上の摘記事項から、特に第３図及び第４図の実施例を中心に、ベルト状スライドガイドを設けたスロットイン式ディスク再生装置について整理すると、引用例１には、次の発明（以下、「引用例１発明」という。）が記載されていると認められる。
　
「箱体に形成したスロット孔からディスクを挿入するスロットイン式ディスク再生装置の、ディスクの挿入及び取り出しのための機構において、
　ディスクの外周部を嵌入するガイド溝をそれぞれ有すると共に所定距離隔ててほぼ平行に配置した一対のベルト状スライドガイドと、
　ベルト状スライドガイドを相反する方向に移動して嵌入状態にあるディスクを釈放する駆動機構とを設け、
　前記一対のベルト状スライドガイドは、それぞれ前プーリーと後プーリー間にベルトの巻かれたベルト状スライドガイドであり、そのうち一方には前プーリーにモータの回転軸が結合され、それぞれ後プーリーが相反する方向に開くように駆動され、
　箱体前面のスロット孔にディスクが挿入されると、反時計方向に回動しているベルト状スライドガイドと静止または時計方向に回動しているベルト状スライドガイド間で、ディスクを嵌入状態にして、ディスクを所定の挿入位置まで送り込み、その後、後プーリーを相反する方向に開いて、嵌入状態にあるディスクを釈放して所定位置にセットし、
　ディスクの取出しはモータを逆転させて行なう、
　スロットイン式ディスク再生装置におけるディスクの挿入及び取り出しのための機構。」
　
（２）同じく原査定の拒絶の理由に引用された特開昭５８−１８５０６１号公報（以下、「引用例２」という。）には、前面挿入型デイスクプレーヤについて、図面と共に次の事項が記載されている（なお、下線は当審で付した。）。
キ．「
ディスク５を、上下の向きを所定の向きにしてディスク挿入口２ａに挿入し、ディスク５の先がローラ７とディスク台６の間に介挿されると、ディスク台６に埋設した一対の発光素子９ａと受光素子９ｂからなる光反射式のフォトセンサ９がディスク５の到来を検知し、ローディングモータ１０を通電起動する。その結果、ローディングモータ１０は正転し、ウォーム１１、ホイール１２、スプロケット１３、チェーン１４、スプロケット１５を介してローラ軸７ａに回転が伝えられる。
ディスク台６に半分のつた状態のディスク５は、ローラ７とディスク５上面の間の摩擦力により、ディスク台６上を滑らかに滑走して奥方に送られる
　なお、このとき、ディスク５の両側はガイド壁１６によって規制してあるため、ディスク５が左右に蛇行することはない。」（２頁左下欄５行〜２０行）
　
ク．「
ディスクの再生を終えて、イジェクト釦４を押すと、ローディングモータ１０が通電起動され、逆回転する
　一方、ディスク台６とともに再生位置まで上昇したディスク５は、ローラ７によりディスク挿入方向とは逆の方向に押し出される。そして、
ディスク５がディスク挿入口２ａから半分程度送り出され、ディスク５の先端がフォトセンサ９を過ぎたとき、既にカムクラッチ２８によりオンしているスイッチ３２の信号とフォトセンサ９の信号により、ローディングモータ１０は停止
　このとき、
ディスク５は中央部のラベルをつまんで引き出すことができる状態にあり、信号記録面５ａに指紋などを付けることなく、きれいな状態でディスク５を回収することができる
　
ケ．「このように、上記構成になる前面挿入型ディスクプレーヤ１によれば、ディスク５をプレーヤ本体２
前面のディスク挿入口２ａを介して簡単に出し入れする
ディスク５を半分挿入するだけでオートローディングがなされるから、ディスク５の信号記録面５ａを手で汚す虞れはなく
　
コ．第１図には、ディスク挿入口２ａからディスク５が半分程突き出て、中央孔と同心円が示されている。
　第２図には、ディスク台６に半分のった状態のディスク５が図示されており、このディスク５の外周がディスク台６に埋設した一対の発光素子９ａと受光素子９ｂの間に位置している。
　
３．対比
　そこで、本願補正発明と引用例１発明とを比較すると、
　引用例１発明の「ディスク」は、少なくとも再生されることが前提であるから、再生されるべき情報が記録されたディスクであることが明らかで、本願補正発明の「情報ディスク」に相当し、引用例１発明の「スロットイン式ディスク再生装置」は、本願補正発明の「情報ディスクに対し情報を記録及び／又は再生する装置」に相当する。
　引用例１発明の「ディスクの挿入及び取り出しのための機構」は、本願補正発明の「ローディング機構」に相当する。
　引用例１発明の「ディスクの外周部」は、本願補正発明の「ディスク縁部」に相当するから、引用例１発明の「ディスクの外周部を嵌入するガイド溝をそれぞれ有すると共に所定距離隔ててほぼ平行に配置した一対のベルト状スライドガイド」は、ディスク外周をガイドする点において、本願補正発明の「ディスク縁部のためのガイド」と一致する。
　
　引用例１発明の一対の「前プーリーと後プーリー間にベルトの巻かれたベルト状スライドガイド」のうち、一方は「前プーリーにモータの回転軸が結合され」、前記モータが回転することでベルトが駆動してディスクを送り込むことは明らかであるから、本願補正発明の「回転駆動可能な」「装填ガイド」に相当し、他方は、モータが結合されず、単にディスク外周部に嵌入するガイド溝がディスクを多少なりとも押圧することで支持しているにすぎないから、本願補正発明の「ディスク縁部を押圧する支持部材として構成された支持ガイド」に相当する。
　
　引用例１発明の「ディスクの外周部を嵌入するガイド溝をそれぞれ有すると共に所定距離隔ててほぼ平行に配置した一対のベルト状スライドガイド」は、平行に配置されていることで、ディスクが挿入可能に形成された面を有することが明らかであるから、本願補正発明の「装填面」を形成していることになり、「後プーリーが相反する方向に開くように駆動され」ることは、本願補正発明の「支持ガイド及び装填ガイドが装置の装填面内で移動可能に支持され」たことに相当する。
　
　引用例１発明の前記「一対のベルト上スライドガイド」は、「ディスクを所定の挿入位置まで送り込み」「ディスクを釈放して所定位置にセットし」「ディスクの取り出しはモータを逆回転させて行なう」等の動作を行うのであるから、本願補正発明のローディング機構が「装填ガイドを回転駆動させるとともに、支持ガイドと装填ガイドによる案内によって、前記装填路に沿う情報ディスクの装填及び脱着を可能にし」ていることに相当する機能を有する。
　
　引用例１発明において、「箱体前面のスロット孔にディスクが挿入されると、反時計方向に回動しているベルト状スライドガイドと静止または時計方向に回動しているベルト状スライドガイド間で、ディスクを嵌入状態にして、ディスクを所定の挿入位置まで送り込み」及び「ディスクの取出しはモータを逆転させて行なう、」との動作から、本願補正発明における「前記装填時に使用者が手で情報ディスクを挿入する位置であってかつ情報ディスクを転動させて自動的に装填を開始するローディング機構の始動位置である中間位置」「使用者が手で情報ディスクを取り出すエジェクト位置」が存在することは自明であり、しかもベルトによる駆動を伴う以上、前記中間位置及びイジェクト位置の「双方にて、支持ガイドと装填ガイドの間でディスク縁部を加圧保持した状態」であることも当然である。
　
　以上のことから、引用例１発明と本願補正発明の一致点及び相違点は、次のとおりである。
　
〈一致点〉
「情報ディスクに対し情報を記録及び／又は再生する装置のためのローディング機構において、
　該ローディング機構は、ディスク縁部のためのガイドを有し、
　該ガイドが、ディスク縁部を押圧する支持部材として構成された支持ガイドと、回転駆動可能な装填ガイドとを含み、
　支持ガイド及び装填ガイドが前記装置の装填面内で移動可能に支持され、
　装填ガイドを回転駆動させるとともに、支持ガイドと装填ガイドによる案内によって、装填路に沿う情報ディスクの装填及び脱着を可能にし、かつ、前記装填時に使用者が手で情報ディスクを挿入する位置であってかつ情報ディスクを転動させて自動的に装填を開始するローディング機構の始動位置である中間位置、および使用者が手で情報ディスクを取り出すエジェクト位置の双方にて、支持ガイドと装填ガイドの間でディスク縁部を加圧保持した状態で、情報ディスクの、前記中間位置までの挿入および前記エジェクト位置での取出しが可能となるローディング機構。」
　
相違点（１）
　本願補正発明は、装填ガイドは「回転駆動可能な移送ホイールとして構成され」ているのに対して、引用例１発明では、「モータの回転軸が結合された前プーリーと後プーリー間にベルトの巻かれたベルト状スライドガイド」である点。
　
相違点（２）
　本願補正発明は中間位置及びイジェクト位置の双方において「情報ディスクの位置決め孔がハウジングの前面から突き出ており、それによって使用者の手が、情報ディスクの位置決め孔の内側縁部及び情報ディスクの周辺部のみで情報ディスクに触れた状態で」情報ディスクの挿入および取出しが可能となるとしているのに対して、引用例１発明では、このように限定されていない点。
　
４．当審の判断
　上記各相違点について検討する。　
　
相違点（１）について
　支持ガイドと装填ガイドが平行に配置されたディスク再生装置において、装填ガイドが「回転駆動可能な移送ホイールとして構成された」ものは、例えば特開昭６１−２１０５５６号公報（動力で動くローラ２６）、特開平１−１８９０６５号公報（駆動モータ４に駆動される摩擦ローラ３）等、周知にすぎず、また、引用例１には、第５図に「さらに他の実施例」として「可回転的に支持した複数のガイド３０」を有する例も併せて記載されており、これら周知のローラ又はガイドは、いずれも中央部が凹んだプーリー状のもので、当該中央部でディスクが駆動又は案内されるものである点で、本願補正発明における「ホイール」と共通するものであるから、引用例１発明において、装填ガイドを、回転駆動可能な移送ホイールとすることは、前記周知のローラ又はガイドを参照することにより当業者が容易に想到しうるものである。
　
相違点（２）について
　引用例２には、前面挿入型デイスクプレーヤについて、ディスクをディスク挿入口に挿入し、ディスク台に埋設した一対の発光素子と受光素子からなる光反射式のフォトセンサがディスクの到来を検知して、ディスクを半分挿入するだけでローディングモータが通電起動して正転すること、及びイジェクト時に、ディスクが挿入口から半分程度送り出されたとき、ディスクの先端をフォトセンサが検出して、ローディングモータを停止することが記載されている。上記周知例の特開昭６１−２１０５５６号公報にも、ディスクをスロットに挿入し、ディスクの位置決め孔がスロットから突き出ている状態（第１図）で、スイッチが作動して装置内に引き入れられ、また、ディスクの位置決め孔がスロットから突き出ている状態まで、ディスクが外方へ排出されることが記載されている。
　さらに、引用例２には、イジェクト時のディスクが挿入口から半分程度まで送りだされたディスクは、ディスクの中央部のラベルをつまんでディスクを引き出すことができる状態にあり、ディスクの信号記録面に指紋などを付けることなく、ディスクを回収することができることも記載されている。ディスク挿入時についても、イジェクト時と同様に、挿入口にディスクの半分まで挿入されると解しうるものである。
　また、ディスクが記録面に手が触れて汚すことがないディスクの取扱い方として、ディスクの中央部のラベルをつまむ他に、周知のＣＤのように外径が１２０ｍｍ程度しかなく、ディスク位置決め孔が１５ｍｍもあるディスクを扱う場合には、外周縁の中心線の対向部分をつまんだり、ディスク位置決め孔の内側縁部と外周縁をつまむことにより記録面に触れずにディスクをつまむことができることは自明である。
　使用者の手がディスクの記録面に触れないようにすることが望ましいことは、技術常識にすぎないから、引用例１発明のディスクにおいても、引用例２に記載された発明及び周知事項を参酌して、ディスク挿入時及び取出し時に、ディスク記録面に手が触れないように、ディスク縁部を検出するセンサーを設けてモータを駆動制御し、ディスク挿入時に使用者が手でディスクを半分程度スロット孔に挿入する位置であってモータが正転する位置、および逆転するモータでディスクが半分スロット孔から突き出た位置で、ディスク縁部を検出し、双方の位置にて、ディスクの位置決め孔がハウジングの前面から突き出ている状態のディスクを、使用者の手が、ディスクが記録面に触れずに、ディスクの位置決め孔の内側縁部及び情報ディスクの周辺部のみでディスクに触れる状態とし、使用者が手で、ディスクの中間位置までの挿入および取出し位置での取出しが可能となるようにすることは、当業者が容易に想到し得るものである。
　
　以上のとおりであるから、上記各相違点は、格別なものではなく、また、上記相違点を総合的に検討しても本願補正発明の奏する効果は、引用例１及び２並びに周知事項から当業者が予測しうる範囲のものである。
　
　したがって、本願補正発明は、引用例１及び２に記載された発明、並びに周知事項に基づいて、当業者が容易に発明をすることができたものであるから、特許法第２９条第２項の規定により特許出願の際独立して特許を受けることができないものである。
　
５．むすび
　以上のとおり、本件補正は、平成１８年改正前特許法第１７条の２第５項で準用する同法第１２６条第５項に規定する要件を満たさないものであるから、特許法第１５９条第１項で読み替えて準用する同法第５３条第１項の規定により却下すべきものである。
　
　
第３　本願発明について
１．本願発明
　平成１８年２月３日付の手続補正は上記のとおり却下されたので、本願の請求項１ないし１８に係る発明は、平成１７年８月１０日付けで手続補正された特許請求の範囲の請求項１ないし１８に記載されたとおりのものと認められるところ、請求項１に係る発明（以下、「本願発明」という。）は、上記「第２　１．本件補正　（ａ）」に本件補正前の請求項１として記載したとおりのものである。
　
２．引用例
　原査定の拒絶の理由に引用された引用例の記載事項は、前記「第２　２．引用例」に記載したとおりである。
　
３．対比・判断
　本願発明は、上記「第２　１．本件補正」で検討した本願補正発明から、単に表現上の修正と認められる記載順序の変更等のほか、「支持ガイド及び装填ガイドが前記装置の装填面内で移動可能に支持され」ているとの限定を削除し、「中間位置」及び「イジェクト位置」についての限定を一部削除し、「前記中間位置までの挿入および前記エジェクト位置での取出しが可能となる」と限定のあったところを単に「手で挿入することが可能となる」としたものに相当する。
　そうすると、本願発明の構成要件をすべて含み、さらに他の構成要件を付加したものに相当する本願補正発明が、前記「第２　４．当審の判断」に記載したとおり、引用例１及び２に記載された発明、並びに周知技術に基づいて、当業者が容易に発明をすることができたものであるから、本願発明も同様の理由により、引用例１及び２に記載された発明、並びに周知事項に基づいて、当業者が容易に発明をすることができたものである。
　
４．むすび
　以上のとおりであるから、本願の請求項１に係る発明は、特許法第２９条第２項の規定により特許を受けることができない。
　したがって、他の請求項について検討するまでもなく、本願は、拒絶すべきものである。
　よって、結論のとおり審決する。